(57)【要約】【課題】従来、食パンなどにバターを塗る方法としては、バターナイフに電熱線を入れて使用時に通電してバターを溶かしながら食パンなどに塗ったり、また、冷蔵庫から取り出したバター入り容器を予め常温で暖めバターが柔らかくなってからバターナイフで塗ったり、バターを予めパンに塗ってあるものを買って焼いたり、バターよりも融点が低く柔らかなマーガリンを混ぜたミックスバターを使ったりしていた。【解決手段】金網または任意の数の穴をあけた金属板で出来た電磁波遮蔽材１の中央部に放物面等の任意の曲面を持つバター置き兼用の凹部２を設け、その周囲の電磁波遮蔽材１を筒状又はスカート状に折り曲げ、この内部空間内にバター受け容器３の一部または全部を収納可能としたことを特徴とする。【選択図】図４ 
2005058397.tif 000002
【特許請求の範囲】
【請求項１】
金網または任意の数の穴をあけた金属板で出来た電磁波遮蔽材の中央部に放物面等の任意の曲面を持つバター置き兼用の凹部を設け、その周囲の電磁波遮蔽材を筒状又はスカート状に折り曲げ、この内部空間内にバター受け容器の一部または全部を収納可能としたことを特徴とするバター溶かし器。
【発明の詳細な説明】
【技術分野】
【０００１】
本発明は、食パンなどにバターを塗る際の、バター溶かし器に関する。
【背景技術】
【０００２】
従来、食パンなどにバターを塗る方法としては、バターナイフに電熱線を入れて使用時に通電し、バターを溶かしながら食パンなどに塗ったり、また冷蔵庫から取り出したバター入り容器を予め常温で暖めバターが柔らかくなってからバターナイフで塗ったりしていた。また、バターを予めパンに塗ってあるものを買って焼いたり、バターよりもはるかに柔らかなマーガリンを混ぜたミックスバターを使ったりしていた。
【０００３】
従来の技術の殆どが、トースター等でパンを焼いた後に食べるまでの時間がかかり、バターが溶けなかったり、無理して塗ろうとするとバターが堅いためパンに穴をあけたりするという欠点があった。また、このような状態ではパンにバターを塗ったとしてもバターが溶けないため均一にバターを塗布出来ず、食感はまずいものとなる。また、最初からパンにバターが塗ってあるものは、バターを塗る量を本人の好み通りに出来ない。
【０００４】
この改善策として、何かの器にバターを入れて溶かすとしても、電子レンジを作動させる時間の長短により溶けなかったり、逆に溶けすぎて沸騰し風味が無くなるばかりか、やけどの危険さえあるなど欠点が多かった。
【発明の開示】
【発明が解決しようとする課題】
【０００５】
解決しようとする問題点は、パンにバターを塗布するため、迅速簡単にしかもバター本来の風味を残しながら必要以上にバターを加熱することなく溶かすためのバター溶かし器の提供を課題とする。
【課題を解決するための手段】
【０００６】
本発明は、金網または任意の数の穴をあけた金属板で出来た電磁波遮蔽材の中央部に放物面等の任意の曲面を持つバター置き兼用の凹部を設け、その周囲の電磁波遮蔽材を筒状又はスカート状に折り曲げ、この内部空間内にバター受け容器の一部または全部を収納可能としたことを特徴とする。
【発明の効果】
【０００７】
本発明は次のようなメリットがある。
１  使用方法がバター受け容器に本発明の金網等の電磁波遮蔽材をかぶせ、その凹部にバターを乗せて電子レンジに入れて加熱するだけなので簡単である。
２  使用後の後片付けが、熱湯を掛けるだけなので比較的簡単である。
３  半永久的に使用出来る。
４  殆どの容器に本発明をかぶせて使用できるうえ、金網等の電磁波遮蔽材でバター受け容器を包むため該容器が加熱されないので、電子レンジ専用の容器でなくとも使用出来る。
５  溶かしたい希望量のバターだけを溶かす事が出来るので無駄がない。
６  溶け出す温度以上には溶けたバターの温度が上昇しないので、バター本来の風味が損なわれない。
７  使用してもごみなど捨てるものが出ない。
８  本発明は、構造が簡単であるため従来の製造ラインを利用出来る。
９  使用時に電子レンジの電磁波で加熱殺菌されるため衛生的である。
１０  構造が簡単なため１回のプレスで本発明の形が出来るため大量生産が可能である。
１１  電子レンジで直接の電磁波照射加熱に加えて、凹部が放物面であるために照射される電磁波が反射してバターに収束されるので、バターが溶けるまでの時間が短い。
１２  安価に製造出来る。
１３  パンのみならず、料理を作る際のバター溶かし器にも使用出来る。
【発明を実施するための最良の形態】
【０００８】
冷蔵庫から出したばかりの冷たいバターを短時間で溶かし、溶けたバターの風味を損なわないよう必要以上にはバターの温度を上げないという難しい目的を、最小の部品点数で実現した。
【実施例１】
【０００９】
図１及び２は、請求項１の実施例の一つで、金網で出来た電磁波遮蔽材１の中央部に放物面等の任意の曲面を持つバター置き兼用の凹部２を設け、その周囲の電磁波遮蔽材１を筒状又はスカート状に折り曲げ、この内部空間内にバター受け容器３の一部または全部を収納可能とした装置とする。このとき、電子レンジの上部から照射される電磁波が凹部２の面に乗せたバター４に直接当たるのに加え、凹部２の曲面で電磁波が反射して凹部２に置かれたバター４に集中するような放物面等の任意の曲面を持つバター置き兼用の凹部２にする。ただし、電子レンジの出力が大きいところで使用するものであるか又はバター４が溶ける時間が多少かかっても良い所で使用する場合には、凹部２の曲面は電磁波を収束する機能は多少落ちても構わないので必ずしも精密な放物面でなくても良い。
【００１０】
本発明の使用に当たっては、請求項１の本発明をカップなどのバター受け容器３にかぶせて電磁遮蔽材１の凹部２に使用する量のバター４を乗せて電子レンジに入れ、適宜加熱するだけである。このとき、電磁波遮蔽材１の凹部２に乗せたバター４は電子レンジの電磁波により２５度前後で溶け始める。電子レンジの出力とバター４の量にもよるが、出力５００Ｗの電子レンジで角食２枚分に塗布する量のバター４であれば加熱から１分前後でバター４は全体が溶けて本発明の電磁波遮蔽材１である金網を通り抜け下のバター受け容器３に落ちる。しかし、電子レンジの電磁波は、電磁波遮蔽材１である金網により遮蔽されるため、該電磁波遮蔽材１の金網の内側までは入り込むことが出来ず、電磁波の照射が継続していても、それ以上の加熱はされなくなる。
【００１１】
簡単のため、実施例１の図１と図２の金網の詳細な描画は省略する。
【実施例２】
【００１２】
上記実施例１の中で、電磁波遮蔽材１として金網の代わりに無数の穴をあけた金属板を使用したものを実施例２とすると、実施例１と同様の効果を得ることが出来る。
なお、簡単のため、実施例２の図面は実施例１の図１及び図２を共用する。また、この場合も無数の穴をあけた金属板の詳細な穴の描画は省略する。
更に、穴の形は円形、四角、ひし形などがあるがいずれも実施例１と同様の効果がある。
【実施例３】
【００１３】
上記実施例１において、電磁遮蔽材１として金網の代わりに１か所の穴をあけた金属板を使用したものを実施例３とすると、図３及び図４のとおり実施する。この場合も実施例１及び実施例２と同様の効果を得ることが出来る。
なお、当然、穴が１か所でなくとも何箇所の穴であっても他の実施例として実施できる。
【００１４】
上記実施例１乃至３において、当然のことであるが、本発明実施の際には、電磁波遮蔽材１の下端は怪我をしないように折り曲げたり、金属環での袋とじ等の措置を講ずるものとする。
【産業上の利用可能性】
【００１５】
電子レンジの電磁波を利用して手軽に使用出来る非常に簡単な装置であるので、料理に用いるバター溶かし器としての用途にも使用出来る。
【図面の簡単な説明】
【００１６】
【図１】本発明の一実施例を示した説明図である。（実施例１及び２）
【図２】本発明の実施例１及び２のＡ−Ａ断面図である。
【図３】本発明の一実施例を示した説明図である。（実施例３）
【図４】本発明の実施例３のＢ−Ｂ断面図である。
【符号の説明】
【００１７】
１  電磁波遮蔽材
２  凹部
３  バター受け容器
４  バター
５  穴
【図１】
2005058397.tif 000003
【図２】
2005058397.tif 000004
【図３】
2005058397.tif 000005
【図４】
2005058397.tif 000006